(57)【要約】【課題】  三次元画像によって所定情報を提示することができ、所定情報の認知性を向上させることができる画像表示装置を提供すること。【解決手段】  商品情報を提示するための二次元画像を表示する表示面１１１が設けられ表示面１１１から表示光を出射するディスプレイ１１０と、出射された表示光を結像することにより三次元画像１０５を形成する結像部材１２０と、形成された三次元画像１０５が車窓１０２に位置するようにディスプレイ１１０及び結像部材１２０を支持するケース１３０とを備えるように画像表示装置１００を構成する。【選択図】  図１
2006038883.tif 000002
【特許請求の範囲】
【請求項１】
所定情報を提示するための二次元画像を表示する表示面が設けられ前記表示面から表示光を出射する表示手段と、
前記出射された表示光を結像することにより三次元画像を形成する結像手段と、
前記形成された三次元画像が車窓に位置するように前記表示手段及び前記結像手段を支持する支持手段とを備えることを特徴とする画像表示装置。
【請求項２】
請求項１に記載の画像表示装置において、
前記結像手段と前記車窓との間の距離を検出する第１の検出手段と、
前記検出された距離に基づいて前記支持手段を移動する第１の移動手段とを更に備えることを特徴とする画像表示装置。
【請求項３】
請求項１又は請求項２に記載の画像表示装置において、
前記車窓の内側に存在する人体の位置を検出する第２の検出手段と、
前記検出された位置に基づいて前記支持手段を移動する第２の移動手段とを更に備えることを特徴とする画像表示装置。
【請求項４】
請求項１から請求項３の何れか一項に記載の画像表示装置において、
前記形成された三次元画像に近接する人体の位置を検出する第３の検出手段と、
前記検出された位置に基づいて前記所定情報の提示態様を変更する変更手段とを更に備えることを特徴とする画像表示装置。
【請求項５】
請求項１から請求項４の何れか一項に記載の画像表示装置において、
前記形成された三次元画像に関連する音声を生成する生成手段を更に備え、
前記生成された音声を前記車窓の内側に出力することを特徴とする画像表示装置。
【請求項６】
請求項１から請求項５の何れか一項に記載の画像表示装置において、
前記結像手段は、複数のレンズを有するマイクロレンズアレイによって構成されたことを特徴とする画像表示装置。
【発明の詳細な説明】
【技術分野】
【０００１】
本願は、所定情報を提示するための画像を表示する画像表示装置の技術分野に属する。
【背景技術】
【０００２】
従来、この種の画像表示装置の一例として、二次元画像によって商品情報を提示するように構成された商品注文システムが知られている（例えば、特許文献１参照）。
【特許文献１】特開２００２−３５２３２９号公報（第５頁、第８図）
【発明の開示】
【発明が解決しようとする課題】
【０００３】
しかしながら、上述した従来の画像表示装置は、二次元画像によって商品情報を提示するように構成されているために、商品情報の認知性を向上させることが困難であるという事情があった。
【０００４】
そこで、本願は、上述した事情を鑑みてなされたものであり、その課題の一例として、三次元画像によって所定情報を提示することができ、所定情報の認知性を向上させることができる画像表示装置を提供することを目的とする。
【課題を解決するための手段】
【０００５】
上述した課題を解決するために、請求項１に記載の画像表示装置は、所定情報を提示するための二次元画像を表示する表示面が設けられ前記表示面から表示光を出射する表示手段と、前記出射された表示光を結像することにより三次元画像を形成する結像手段と、前記形成された三次元画像が車窓に位置するように前記表示手段及び前記結像手段を支持する支持手段とを備えることを特徴とする構成を有している。
【発明を実施するための最良の形態】
【０００６】
以下、本願を実施するための最良の形態について、図面を用いて説明する。なお、以下説明する実施形態は、本願に係る画像表示装置を、例えば、飲食店用の商品注文装置に適用した場合の実施形態を示している。
【０００７】
具体的には、本実施形態における商品注文装置は、所定情報の一例としての商品情報を提示するための三次元画像を表示し、当該表示された三次元画像に基づいて利用者が商品を注文するように構成されている。
【０００８】
まず、本実施形態における商品注文装置の構成について、図１から図３を用いて説明する。なお、図１は、本実施形態における商品注文装置の構成を示す斜視図であり、図２は、本実施形態における三次元画像の一例を示す平面図であり、図３は、本実施形態における商品注文装置の構成を示すブロック図である。
【０００９】
本実施形態における商品注文装置１００は、図１に示すように、表示手段の一例としてのディスプレイ１１０と、結像手段の一例としての結像部材１２０と、支持手段の一例としてのケース１３０と、第１の移動手段の一例としてのアーム１４１と、第２の移動手段の一例としてのアーム１４２と、アーム１４１、１４２を支持するベース１４３とを備え、図示しない車両が所定位置に停止したときに側部ドア１０１に対向するように配置されている。そして、側部ドア１０１には、車窓１０２及びスピーカ１０３が設けられ、車窓１０２には、ガラス１０４が開閉自在に取り付けられている。なお、ディスプレイ１１０及び結像部材１２０については下述する。
【００１０】
なお、本実施形態では、車窓１０２を有する車両に対して商品情報を提示するように構成されているが、これに限らず、車窓を有しない車両、飛行機、船舶、列車、自動車、自転車などの各種移動体に対して商品情報を提示するように構成されてもよい。
【００１１】
ケース１３０は、表示された三次元画像１０５が車窓１０２に位置するようにディスプレイ１１０及び結像部材１２０を支持するようになっている。表示された三次元画像１０５は、図２に示すように、ハンバーガーなどの商品メニューを提示するようになっている。この三次元画像１０５は動画像であり、例えば、ハンバーガーを回転する様子、ハンバーガーをちぎった様子などを表示するようになっている。
【００１２】
なお、本実施形態では、動画像を表示するように構成されているが、これに限らず、静止画像を表示するように構成されてもよい。
【００１３】
また、動画像及び静止画像に関わらず、ガラス１０４を開閉する画像、ガラス１０４を破壊する画像、キスマーク等のシンボルを進退する画像などの演出画像を表示するように構成されてもよい。
【００１４】
アーム１４１は、モータ、ギアなどを含む図示しない駆動機構によって構成され、結像部材１２０と車窓１０２との間の距離に基づいてケース１３０を前後方向１４４に移動するようになっている。
【００１５】
アーム１４２は、モータ、ギアなどを含む図示しない駆動機構によって構成され、車窓１０２の内側、即ち、車内に存在する人体の位置に基づいてケース１３０を上下方向１４５に移動するようになっている。
【００１６】
なお、本実施形態では、ケース１３０を前後方向１４４及び上下方向１４５に移動するように構成されているが、これに限らず、ケース１３０を左右方向に移動するように構成されてもよい。
【００１７】
また、本実施形態では、ディスプレイ１１０、結像部材１２０及びケース１３０を一体に移動するように構成されているが、これに限らず、ディスプレイ１１０、結像部材１２０及びケース１３０を個別に移動するように構成されてもよい。
【００１８】
また、商品注文装置１００は、図３に示すように、第１の検出手段の一例としての距離センサ１５０と、第２の検出手段及び第３の検出手段の一例としての人体センサ１６０と、変更手段及び生成手段の一例としての制御部１７０と、音声信号を送信する音声送信部１８０とを備えている。そして、送信された音声信号は、車両に搭載されたラジオなどの音声受信部１０６に受信されるようになっている。
【００１９】
制御部１７０は、商品情報を提示するための二次元画像を生成し、当該生成された二次元画像を示す画像信号をディスプレイ１１０に出力するようになっている。そして、ディスプレイ１１０は、入力された画像信号に応じて二次元画像を表示するようになっている。
【００２０】
距離センサ１５０は、赤外線センサなどの各種検出器によって構成され、結像部材１２０と車窓１０２との間の距離を検出するようになっている。そして、制御部１７０は、検出された距離に基づいてアーム１４１に駆動信号を出力し、アーム１４１は、入力された駆動信号に応じてケース１３０を前後方向１４４に移動するようになっている。
【００２１】
人体センサ１６０は、赤外線センサなどの各種検出器によって構成され、車内に存在する人体の一部、例えば、頭の位置を検出するようになっている。そして、制御部１７０は、検出された頭の位置に基づいてアーム１４２に駆動信号を出力し、アーム１４２は、入力された駆動信号に応じてケース１３０を上下方向１４５に移動するようになっている。
【００２２】
また、人体センサ１６０は、表示された三次元画像１０５に近接する人体の一部、例えば、指の位置を検出するようになっている。そして、制御部１７０は、検出された指の位置に基づいてディスプレイ１１０に駆動信号を出力し、ディスプレイ１１０は、入力された駆動信号に応じて商品情報の提示態様を変更するようになっている。
【００２３】
具体的には、ディスプレイ１１０は、所謂、タッチパネルとして機能し、図２に示すように、特定の商品が指定されたときに、商品の名称、商品の価格、商品の画像などの商品情報を拡大して表示するようになっている。
【００２４】
制御部１７０は、表示された三次元画像１０５に関連する音声を生成し、当該生成された音声を示す音声信号を音声送信部１８０に出力するようになっている。そして、音声送信部１８０は、入力された音声信号を送信し、音声受信部１０６は、送信された音声信号を受信するようになっている。
【００２５】
音声受信部１０６は、受信された音声信号をスピーカ１０３に出力するようになっている。そして、スピーカ１０３は、入力された音声信号に応じて音声を出力するようになっている。
【００２６】
次に、本実施形態におけるディスプレイ及び結像部材の構成について、図４を用いて説明する。なお、図４は、本実施形態におけるディスプレイ及び結像部材の構成を示す側面図である。
【００２７】
本実施形態におけるディスプレイ１１０は、図４に示すように、商品情報を提示するための二次元画像を表示する表示面１１１が設けられ、表示面１１１から表示光を出射するようになっている。
【００２８】
なお、本実施形態では、ディスプレイ１１０は、液晶ディスプレイ、ＰＤＰ（Plasma Display Panel）、有機ＥＬ（Electroluminescence）ディスプレイ、ＣＲＴ（Cathode Ray Tube）ディスプレイなどの各種表示器によって構成されている。
【００２９】
また、本実施形態では、ディスプレイ１１０は、表示面１１１から表示光を出射する表示器によって構成されているが、これに限らず、二次元画像が形成された部材、例えば、枚葉状のシート、ロール状のシートなどの部材を変動することにより二次元画像を表示する表示器によって構成されてもよい。
【００３０】
本実施形態における結像部材１２０は、図４に示すように、出射された表示光を結像する結像面１２１を形成し、結像面１２１に三次元画像を表示するようになっている。
【００３１】
具体的には、結像部材１２０は、マトリクス状に配置された複数のレンズ１２３を有するマイクロレンズアレイによって構成され、レンズ１２３を介して車窓１０２に三次元画像１０５を表示するようになっている。これにより、利用者は、表示された三次元画像１０５に対して容易に焦点を合わせることが可能になる。
【００３２】
次に、本実施形態における商品注文装置の動作について、図１から図５を用いて説明する。なお、図５は、本実施形態における商品注文装置の動作を示すフローチャートである。
【００３３】
本実施形態における商品注文装置１００は、図５に示すように、飲食店用の商品注文工程（ステップＳ１０１からステップＳ１０９）を実行する。
【００３４】
まず、距離センサ１５０は、結像部材１２０と車窓１０２との間の距離を検出し、アーム１４１は、入力された駆動信号に応じてケース１３０を前後方向１４４に移動する（ステップＳ１０１）。これにより、結像部材１２０は、車窓１０２に対して所定距離に位置する。
【００３５】
次いで、人体センサ１６０は、車内に存在する人体の一部、例えば、頭の位置を検出し、アーム１４２は、入力された駆動信号に応じてケース１３０を上下方向１４５に移動する（ステップＳ１０２）。これにより、結像部材１２０は、人体に対して所定高さに位置する。
【００３６】
次いで、ディスプレイ１１０は、入力された画像信号に応じて「ラジオを周波数○○に合わせて下さい。音声が聞こえます。」という内容を示す二次元画像を表示し、結像部材１２０は、出射された表示光を結像することにより三次元画像１０５を形成する（ステップＳ１０３）。これにより、三次元画像１０５は、車窓１０２に表示される。
【００３７】
次いで、ディスプレイ１１０は、入力された画像信号に応じて「いらっしゃいませ。ご注文をどうぞ。」という内容を示す二次元画像を表示し、結像部材１２０は、出射された表示光を結像することにより三次元画像１０５を形成する（ステップＳ１０４）。これにより、三次元画像１０５は、車窓１０２に表示される。
【００３８】
このときに、スピーカ１０３は、入力された音声信号に応じて「いらっしゃいませ。ご注文をどうぞ。」という内容を示す音声を出力する（ステップＳ１０５）。
【００３９】
次いで、人体センサ１６０は、表示された三次元画像に近接する人体の一部、例えば、指の位置を検出し、ディスプレイ１１０は、入力された駆動信号に応じて商品情報の提示態様を変更する（ステップＳ１０６）。
【００４０】
具体的には、ディスプレイ１１０は、所謂、タッチパネルとして機能し、図２に示すように、特定の商品が指定されたときに、商品の名称、商品の価格、商品の画像などの商品情報を拡大して表示する。
【００４１】
次いで、ディスプレイ１１０は、入力された画像信号に応じて「ご注文を受け付けました。お進み下さい。」という内容を示す二次元画像を表示し、結像部材１２０は、出射された表示光を結像することにより三次元画像１０５を形成する（ステップＳ１０７）。これにより、三次元画像１０５は、車窓１０２に表示される。
【００４２】
このときに、スピーカ１０３は、入力された音声信号に応じて「ご注文を受け付けました。お進み下さい。」という内容を示す音声を出力する（ステップＳ１０８）。
【００４３】
最後に、ディスプレイ１１０は、入力された画像信号に応じて初期画像を示す二次元画像を表示し、アーム１４１、１４２は、入力された駆動信号に応じてケース１３０を初期位置に移動して（ステップＳ１０９）、本工程を終了する。
【００４４】
以上説明したように、本実施形態では、画像表示装置１００は、商品情報を提示するための二次元画像を表示する表示面１１１が設けられ表示面１１１から表示光を出射するディスプレイ１１０と、出射された表示光を結像することにより三次元画像１０５を形成する結像部材１２０と、形成された三次元画像１０５が車窓１０２に位置するようにディスプレイ１１０及び結像部材１２０を支持するケース１３０とを備えることを特徴とする構成を有している。
【００４５】
この構成により、本実施形態では、商品情報を提示するための三次元画像１０５が車窓１０２に位置するので、三次元画像１０５によって商品情報を提示することができ、商品情報の認知性を向上させることができる。
【００４６】
また、本実施形態では、画像表示装置１００は、結像部材１２０と車窓１０２との間の距離を検出する距離センサ１５０と、検出された距離に基づいてケース１３０を移動するアーム１４１とを更に備えることを特徴とする構成を有している。
【００４７】
この構成により、本実施形態では、結像部材１２０が車窓１０２に対して所定距離に位置するので、三次元画像１０５を車窓１０２に鮮明に表示することができる。
【００４８】
また、本実施形態では、画像表示装置１００は、車窓１０２の内側に存在する人体の位置を検出する人体センサ１６０と、検出された位置に基づいてケース１３０を移動するアーム１４２とを更に備えることを特徴とする構成を有している。
【００４９】
この構成により、本実施形態では、結像部材１２０が人体に対して所定高さに位置するので、三次元画像１０５を車窓１０２に鮮明に表示することができる。
【００５０】
また、本実施形態では、画像表示装置１００は、形成された三次元画像１０５に近接する人体の位置を検出する人体センサ１６０と、検出された位置に基づいて商品情報の提示態様を変更する制御部１７０とを更に備えることを特徴とする構成を有している。
【００５１】
この構成により、本実施形態では、三次元画像１０５に近接する人体の位置に基づいて商品情報の提示態様を変更するので、ディスプレイ１１０を、所謂、タッチパネルとして機能させることができ、商品注文工程を簡易にすることができる。
【００５２】
また、本実施形態では、画像表示装置１００は、形成された三次元画像１０５に関連する音声を生成する制御部１７０を更に備え、生成された音声を車窓１０２の内側に出力することを特徴とする構成を有している。
【００５３】
この構成により、本実施形態では、三次元画像１０５に関連する音声を車窓１０２の内側に出力するので、音声によって商品情報を提示することができ、商品情報の認知性を更に向上させることができる。
【００５４】
また、本実施形態では、結像部材１２０は、複数のレンズ１２３を有するマイクロレンズアレイによって構成されたことを特徴とする構成を有している。
【００５５】
この構成により、本実施形態では、結像部材１２０がマイクロレンズアレイによって構成されているので、結像部材１２０を簡易に製造することができ、製造コストを低減することができる。
【００５６】
なお、本実施形態では、一台の車両に対して一台の画像表示装置を配置するように構成されているが、これに限らず、一台の車両に対して複数台の画像表示装置を配置するように構成されてもよい。
【００５７】
また、本実施形態では、本願に係る画像表示装置を、例えば、飲食店用の商品注文装置に適用しているが、これに限らず、発券所、アトラクションなどの各種装置に適用してもよい。
【図面の簡単な説明】
【００５８】
【図１】本願の一実施形態における商品注文装置の構成を示す斜視図である。
【図２】本願の一実施形態における三次元画像の一例を示す平面図である。
【図３】本願の一実施形態における商品注文装置の構成を示すブロック図である。
【図４】本願の一実施形態におけるディスプレイ及び結像部材の構成を示す側面図である。
【図５】本願の一実施形態における商品注文装置の動作を示すフローチャートである。
【符号の説明】
【００５９】
１００  商品注文装置
１０１  側部ドア
１０２  車窓
１０３  スピーカ
１０４  ガラス
１０５  三次元画像
１０６  音声受信部
１１０  ディスプレイ
１１１  表示面
１２０  結像部材
１２１  結像面
１２３  レンズ
１３０  ケース
１４１  アーム
１４２  アーム
１４３  ベース
１４４  前後方向
１４５  上下方向
１５０  距離センサ
１６０  人体センサ
１７０  制御部
１８０  音声送信部
【図１】
2006038883.tif 000003
【図２】
2006038883.tif 000004
【図３】
2006038883.tif 000005
【図４】
2006038883.tif 000006
【図５】
2006038883.tif 000007